【手続補正書】
【提出日】平成19年4月4日(2007.4.4)
【手続補正１】
【補正対象書類名】明細書
【補正対象項目名】発明の名称
【補正方法】変更
【補正の内容】
【発明の名称】記録装置、再生装置、記録媒体
【手続補正２】
【補正対象書類名】明細書
【補正対象項目名】特許請求の範囲
【補正方法】変更
【補正の内容】
【特許請求の範囲】
【請求項１】
１又は複数のデータと、N個（ただし、Nは整数）の前記データをデータグループとして管理するデータ管理情報と、M個（ただし、Mは整数）の前記データグループを管理する統括管理情報とを光ディスク記録媒体に記録する記録装置であって、
前記統括情報管理内に、
世界標準時間（グリニッジ標準時間）と所定の場所における標準時間との時差を示すタイムゾーン情報（TM_ZONE）を記録する手段と、
前記各データ管理情報内に、
世界標準時間（グリニッジ標準時間）と前記データ管理情報の管理する前記データグループのデータが記録された場所の標準時間との時差を示すデータ記録時のタイムゾーン情報（REC_TM_ZONE）を記録する手段と、
前記データグループ中の最初に記録されたデータの記録時刻を前記タイムゾーン情報（TM_ZONE）が示す標準時間に基いて表す第１のデータ記録時刻情報を記録する手段と、
前記データグループ中の最後に記録されたデータの記録時刻を前記タイムゾーン情報（TM_ZONE）が示す標準時間に基いて表す第２のデータ記録時刻情報とを記録する手段と、
前記データ記録時のタイムゾーン情報（REC_TM_ZONE）が、世界標準時間（グリニッジ標準時間）と前記データが記録された場所の標準時間との時差を特定するか否かを示すフラグを記録する手段と、を有し、
前記第１及び第２のデータ記録時刻情報を記録する手段は、該データ記録時刻情報を、前記データの現地時刻における記録時の時刻（CUR_TM）と前記タイムゾーン情報（TM_ZONE）と、前記データ記録時のタイムゾーン情報（REC_TM_ZONE）を用い、
（CUR_TM）＋（TM_ZONE）-（REC_TM_ZONE）により算出することを特徴とする記録装置。
【請求項２】
１又は複数のデータと、N個（ただし、Nは整数）の前記データをデータグループとして管理するデータ管理情報と、M個（ただし、Mは整数）の前記データグループを管理する統括管理情報とを光ディスク記録媒体に記録するステップと、
前記統括管理情報管理内に、世界標準時間（グリニッジ標準時間）と所定の場所における標準時間との時差を示すタイムゾーン情報（TM_ZONE）を記録するステップと、
前記各データ管理情報内に、
世界標準時間（グリニッジ標準時間）と前記データ管理情報の管理する前記データグループのデータが記録された場所の世界標準時間（グリニッジ標準時間）との時差を示すデータ記録時のタイムゾーン情報（REC_TM_ZONE）を記録するステップと、
前記データグループ中の最初に記録されたデータの記録時刻を前記タイムゾーン情報（TM_ZONE）が示す標準時間に基いて表す第１のデータ記録時刻情報を記録するステップと、
前記データグループの中の最後に記録されたデータの記録時刻を前記タイムゾーン情報（TM_ZONE）が示す標準時間に基いて表す第２のデータ記録時刻情報とを記録するステップと、
前記データ記録時のタイムゾーン情報（REC_TM_ZONE）が前記データが記録された場所の標準時間との時差を特定するか否かを示すフラグを記録するステップと、を有し、
前記第１のデータ記録時刻情報が、
前記データグループ中の最初に記録されたデータの現地時刻における記録時の時刻（CUR_TM）と前記タイムゾーン情報（TM_ZONE）と前記データ記録時のタイムゾーン情報（REC_TM_ZONE）を用い、（CUR_TM）＋（TM_ZONE）-（REC_TM_ZONE）により算出され、
前記第２のデータ記録時刻情報が、
前記データグループの最後に記録されたデータの現地時刻における記録時の時刻（CUR_TM）と前記タイムゾーン情報（TM_ZONE）と前記データ記録時のタイムゾーン情報（REC_TM_ZONE）を用い、（CUR_TM）＋（TM_ZONE）-（REC_TM_ZONE）により算出されることを特徴とする記録方法を実行するプログラムを記録した記録媒体。 
【請求項３】
１又は複数のデータと、N個（ただし、Nは整数）の前記データをデータグループとして管理するデータ管理情報と、M個（ただし、Mは整数）の前記データグループを管理する統括管理情報とが記録された光ディスク記録媒体を再生する再生装置であって、
前記統括管理情報が、世界標準時間（グリニッジ標準時間）と所定の場所における標準時間との時差を示すタイムゾーン情報（TM_ZONE）含み、
前記データ管理情報が、
世界標準時間（グリニッジ標準時間）と前記データ管理情報の管理する前記データグループのデータが記録された場所の標準時間との時差を示すデータ記録時のタイムゾーン情報（REC_TM_ZONE）と、
前記データグループ中の最初に記録されたデータの記録時刻を前記タイムゾーン情報（TM_ZONE）が示す標準時間に基いて表す第１のデータ記録時刻情報（REC_TM）と、
前記データグループ中の最後に記録されたデータの記録時刻を前記タイムゾーン情報（TM_ZONE）が示す標準時間に基いて表す第２のデータ記録時刻情報（REC_TM）と、
前記データ記録時のタイムゾーン情報（REC_TM_ZONE）が、前記データが記録された場所の世界標準時間（グリニッジ標準時間）との時差を特定するか否かを示すフラグと、を含み、
前記データの再生時に、前記データグループの最初又は最後に記録されたデータの記録された場所の記録時の現地時間を特定をする特定手段を有し、
前記特定手段は、前記フラグが、前記データ記録時のタイムゾーン情報（REC_TM_ZONE）が前記データが記録された場所の世界標準時間（グリニッジ標準時間）との時差を特定していることを示す場合にのみ、
前記データグループ中の最初に記録されたデータの現地時刻における記録時の時刻を、前記第１のデータ記録時刻情報（REC_TM）と前記タイムゾーン情報（TM_ZONE）と前記データ記録時のタイムゾーン情報（REC_TM_ZONE）を用いて、
前記データグループの最後に記録されたデータの現地時刻における記録時の時刻を、前記第２のデータ記録時刻情報（REC_TM）と前記タイムゾーン情報（TM_ZONE）と前記データ記録時のタイムゾーン情報（REC_TM_ZONE）を用いて、
（REC_TM）-（TM_ZONE）+（REC_TM_ZONE）により算出することを特徴とする再生装置。
【請求項４】
１又は複数のデータと、N個（ただし、Nは整数）の前記データをデータグループとして管理するデータ管理情報と、M個（ただし、Mは整数）の前記データグループを管理する統括管理情報とが記録された光ディスク記録媒体から、
前記データが記録された場所の記録時の現地時間を特定する方法を記録した光ディスク記録媒体であって、
前記統括管理情報が、世界標準時間（グリニッジ標準時間）と所定の場所における標準時間との時差を示すタイムゾーン情報（TM_ZONE）含み、
前記データ管理情報が、
世界標準時間（グリニッジ標準時間）と前記データが記録された場所の標準時間との時差を示すデータ記録時のタイムゾーン情報（REC_TM_ZONE）と、
前記データグループ中の最初に記録されたデータの記録時刻を前記タイムゾーン情報（TM_ZONE）が示す標準時間に基いて表す第１のデータ記録時刻情報（REC_TM）と、
前記データグループ中の最後に記録されたデータの記録時刻を前記タイムゾーン情報（TM_ZONE）が示す標準時間に基いて表す第２のデータ記録時刻情報（REC_TM）と、
前記データ記録時のタイムゾーン情報（REC_TM_ZONE）が、前記データが記録された場所の世界標準時間（グリニッジ標準時間）との時差を特定するか否かを示すフラグと、を含み、
前記データを再生するステップと、
前記データグループ中の最初又は最後に記録されたデータの記録された場所の記録時の現地時間を特定するステップを有し、
前記特定するステップは、前記フラグが前記データが記録された場所の世界標準時間（グリニッジ標準時間）との時差を特定することを示す場合にのみ、
前記データグループ中の最初に記録されたデータの現地時刻における記録時の時刻を、前記第１のデータ記録時刻情報（REC_TM）と前記タイムゾーン情報（TM_ZONE）と前記データ記録時のタイムゾーン情報（REC_TM_ZONE）を用いて、
前記データグループの最後に記録されたデータの現地時刻における記録時の時刻を、 前記第２のデータ記録時刻情報（REC_TM）と前記タイムゾーン情報（TM_ZONE）と前記データ記録時のタイムゾーン情報（REC_TM_ZONE）を用いて、
（REC_TM）-（TM_ZONE）+（REC_TM_ZONE）により特定することを特徴とする再生方法を記録した記録媒体。
【請求項５】
１又は複数のデータと、N個（ただし、Nは整数）の前記データをデータグループとして管理するデータ管理情報と、M個（ただし、Mは整数）の前記データグループを管理する統括管理情報とが記録された光ディスク記録媒体であって、
前記統括情報管理が、世界標準時間（グリニッジ標準時間）と所定の場所における標準時間との時差を示すタイムゾーン情報（TM_ZONE）を含み、
前記データ管理情報が、
世界標準時間（グリニッジ標準時間）と前記データ管理情報の管理する前記データグループのデータが記録された場所の標準時間の時差を示すデータ記録時のタイムゾーン情報（REC_TM_ZONE）と、
前記データグループ中の最初に記録されたデータの記録時刻を前記タイムゾーン情報（TM_ZONE）が示す標準時間に基いて表す第１のデータ記録時刻情報（REC_TM）と、
前記データグループ中の最後に記録されたデータの記録時刻を前記タイムゾーン情報（TM_ZONE）が示す標準時間に基いて表す第２のデータ記録時刻情報（REC_TM）と、
前記データ記録時のタイムゾーン情報（REC_TM_ZONE）が、前記データが記録された場所の世界標準時間（グリニッジ標準時間）との時差を特定するか否かを示すフラグと、を含み、
前記フラグが、前記データ記録時のタイムゾーン情報（REC_TM_ZONE）が前記データが記録された場所の世界標準時間（グリニッジ標準時間）との時差を特定していることを示す場合にのみ、前記データの再生時に、 前記第１又は第２のデータ記録時刻情報（REC_TM）と、前記タイムゾーン情報（TM_ZONE）と前記データ記録時のタイムゾーン情報（REC_TM_ZONE）を用いて、前記データグループ中の最初又は最後に記録されたデータの現地時刻における記録時の記録時刻を、（REC_TM）-（TM_ZONE）+（REC_TM_ZONE）により特定することを可能とすることを特徴とする光ディスク記録媒体。